(57)【要約】【解決手段】  本発明は、室外窓と室内窓で構成された二重窓構造に関し、室外窓の窓枠に外部の空気が循環できるように通気装置や通気口を設け、中間層の温度と湿度を自然に調節することによって結露が発生するのを防止し、高層建物の外壁に設けられる二重窓の場合、室内窓と室外窓との間の中間層を気圧緩衝空間として用い、気圧差による問題を防止する二重窓を提供する。【選択図】なし
2011508124.tif 000002
【特許請求の範囲】
【請求項１】
多数の垂直窓フレーム及び水平窓フレームと、
前記水平窓フレームと垂直窓フレームによって定義された各領域に設けられ、その間に空間部が形成されるように離隔された多数の室外窓及び室内窓と、
を備え、
前記水平窓フレームには通気手段が形成されており、前記通気手段を介して外部の空気が室内窓と室外窓との間の空間部に流入することができることを特徴とする二重窓。
【請求項２】
前記通気手段は、
室外窓と室内窓との間の空間に対応する水平窓フレームの一面に形成された貫通ホールと、外部と対応する水平窓フレームの一面に形成された開口と、前記開口と貫通ホールを連結する流路と、を備えることを特徴とする請求項１に記載の二重窓。
【請求項３】
前記垂直窓フレームは両外側垂直窓フレーム及び多数の内側垂直窓フレームに区分され、
前記内側垂直窓フレームには換気口が形成されていることを特徴とする請求項１に記載の二重窓。
【請求項４】
前記換気口は、内側垂直窓フレームの上端部及び下端部に形成されていることを特徴とする請求項３に記載の二重窓。
【請求項５】
前記換気口は、いずれか１つの領域の室内窓と室外窓との間の空間部と、これに隣接したいずれか１つの領域の室内窓と室外窓との間の空間部とを連結することを特徴とする請求項３に記載の二重窓。
【請求項６】
前記いずれか１つの内側垂直窓フレームには上端部に換気口が形成され、これに隣接する内側垂直窓フレームには下端部に換気口が形成されることを特徴とする請求項３に記載の二重窓。
【発明の詳細な説明】
【技術分野】
【０００１】
本発明は二重窓に関し、特に室外窓を開放しなくても室内窓と室外窓との間に形成された空間部に外部の空気を自然に流入させることができる構造を有する二重窓に関する。
【背景技術】
【０００２】
一般に、アパート及び住商複合建物には室内窓と室外窓からなる二重窓又はカーテンウォールが設けられている。特に、二重窓は、断熱性と遮音性を確保することができる長所があるが、バルコニ拡張が合法化され広い室内空間を確保するために、一般消費者は室外窓と室内窓との間隔を減らした二重窓や二重カーテンウォールを好んでいる。
【０００３】
図１は、一般的な二重窓の構造を概略的に示した図面であって、従来の二重窓は、壁体（図示せず）に固定された窓フレーム１０、窓フレーム１０に設けられた窓枠フレーム２０及び３０、そして窓枠フレーム２０及び３０にそれぞれ設けられた室内窓４０及び室外窓５０を備えており、室内窓４０と室外窓５０との間には、所定の空間部６０が形成される。
【０００４】
室内窓４０と室外窓５０との間の空間部６０が狭い二重窓は、優れた断熱性能、遮音性能を維持しながらも広い室内空間を確保することができる長所があるが、冬季に室外温度と室内温度の顕著な差によって室外窓５０の内面（室内側対応面）に多量の結露水（図１で７０で表示）が発生する。
【０００５】
この結露水は、室内窓４０と窓枠フレーム２０との間の隙間を介して室内に流入することがあり、室内に流入した結露水は、カビ、シミ、掃除の問題、結氷などの多様な問題を引き起こす。また、窓に発生した結露水は、室内からの外部視野の確保を妨害する。
【０００６】
特に、断熱性能に優れた二重窓では、室内窓４０と室外窓５０との間の空間部６０で発生するこのような問題を解決するために、室内窓４０又は室外窓５０を随時開けて換気をしなければならない短所がある。
【発明の概要】
【発明が解決しようとする課題】
【０００７】
本発明は前記のような問題を解決するためのもので、本発明の目的は、室外窓又は室内窓を開放していない状態でも室内窓と室外窓との間の空間部に外部の空気を自然に流入させ、結露現象を予防することができる通気口を有する二重窓を提供することである。
【課題を解決するための手段】
【０００８】
前記目的を達成するために本発明の一形態によれば、多数の垂直フレーム及び水平窓フレームと、前記水平窓フレームと垂直窓フレームによって定義された各領域に開閉可能に設けられ、その間に空間部が形成されるように離隔配置された室外窓及び室内窓と、を備える二重窓が提供される。
【０００９】
このとき、前記水平窓フレームには通気手段が形成されており、前記通気手段を介して外部の空気が室内窓と室外窓との間の空間部に流入することができることが望ましい。
【００１０】
ここで、前記通気手段は、室外窓と室内窓との間の空間に対応する水平窓フレームの一面に形成された貫通ホールと、外部の空気に対応する水平窓フレームの一面に形成された開口と、前記開口と貫通ホールとを連結する流路と、を備えることが望ましい。
【００１１】
本発明の一形態に係る二重窓で前記垂直窓フレームは、両外側垂直窓フレーム及び内側垂直窓フレームに区分され、前記内側垂直窓フレームには換気口が形成されることが望ましい。
【００１２】
このとき、前記換気口は内側垂直窓フレームの上端部及び下端部に形成され、前記換気口はいずれか１つの領域の室内窓と室外窓との間の空間部と、これに隣接したいずれか１つの領域の室内窓と室外窓との間の空間部とを連結することが望ましい。
【００１３】
このとき、前記いずれか１つの内側垂直窓フレームには上端部に換気口が形成され、これに隣接する内側垂直窓フレームには下端部に換気口が形成されることが望ましい。
【発明の効果】
【００１４】
以上で説明した通り、本発明に係る二重窓は、水平窓フレームに外部の空気が室内窓と室外窓との間の空間部に循環できるように通気構造や通気口を設け、前記空間部の温度と湿度を自然に調節することによって結露が生じるのを防止することができ、垂直窓フレームに水平交差換気口を形成してそれぞれの領域に開閉窓を設けなくてもよい長所がある。また、前記空間部を気圧緩衝空間として用い、気圧差によって生じる問題を防止することができる効果がある。
【図面の簡単な説明】
【００１５】
【図１】従来の二重窓の概念図である。
【図２】本発明の一実施例に係る二重窓の概念図である。
【図３】本発明の一実施例に係る二重窓を構成する水平窓フレームを示す断面図である。
【図４】本発明の一実施例に係る二重窓を示す一部切開斜視図である。
【図５】図４に対応する図面であって、図４に示された二重窓の底面斜視図である。
【図６】本発明の他の実施例に係る二重窓の多様な適用例を示す図面である。
【図７】本発明の他の実施例に係る二重窓の多様な適用例を示す図面である。
【図８】本発明の他の実施例に係る二重窓の多様な適用例を示す図面である。
【発明を実施するための形態】
【００１６】
以下、添付した図面を参照して本発明の好適な実施例に係る二重窓を具体的に説明する。
【００１７】
図２は、本発明の一実施例に係る二重窓の構造を概略的に示した図面であって、本発明の一実施例に係る二重窓は、壁体（図示せず）に固定された窓フレーム１１０、窓フレーム１１０に設けられた窓枠フレーム１２０及び１３０、そして窓枠フレーム１２０及び１３０にそれぞれ設けられた室内窓１４０及び室外窓１５０を備える。
【００１８】
ここで、前記窓フレーム１１０は、上部及び下部水平窓フレーム１１１及び１１２、そして上部水平窓フレーム１１１と下部水平窓フレーム１１２の両終端にそれぞれ固定された２つの垂直窓フレーム（図示せず）で構成される。
【００１９】
一方、室内窓１４０と室外窓１５０との間に形成された空間部１６０は、閉じた状態の室内窓１４０と室外窓１５０によって気密状態が維持される。
【００２０】
本発明の一実施例に係る二重窓は、室外窓１５０を支持する窓フレーム１１０に外部の空気が室内窓１４０と室外窓１５０との間の空間部１６０に流入することができる通気手段１００を備える。
【００２１】
この通気手段１００を介して室内窓１４０と室外窓１５０との間に形成された空間部１６０に流入した外部の空気は、対流現象によって前記空間部１６０内で循環し、従って、外側又は室内窓には空間部１６０と外部の温度差による結露現象が発生しない。
【００２２】
このような機能を行う通気手段１００の具体的な構成及び機能を説明する。
【００２３】
図３は本発明の一実施例に係る二重窓を構成する通気手段が形成された水平窓フレームの断面図であり、図４及び図５は本発明の一実施例に係る二重窓を構成する通気手段が形成された水平窓フレームの部分断面斜視図であって、図４は前記で説明した状態を、図５は下記で説明する状態をそれぞれ示している。
【００２４】
一方、図３、図４及び図５に表示された矢印は、通気手段１００を介して外部から室外窓と室内窓との間の空間部に流入する空気の流れを示す。
【００２５】
本発明の一実施例に係る二重窓を構成する通気手段１００は、水平窓フレーム、例えば下部水平窓フレーム１１２に形成される。具体的には、通気手段１００は、室外窓１５０と室内窓１６０との間の空間に対応する水平窓フレーム１０２の一面に形成された貫通ホール１１２−１、外部と対応する水平窓フレーム１０２の一面に形成された開口１１２−２及び前記開口と貫通ホールを連結する流路１１２−３を備えることができる。従って、前記空間部１６０は、貫通ホール１１２−１、流路１１２−３及び開口１１２−２を介して外部と連通される。
【００２６】
一方、図３、図４及び図５では、貫通ホール１１２−１が一定の長さを有するスリット形状からなっていることを示しているが、これに制限されはしない。
【００２７】
このように形成された貫通ホール１１２−１は、室外窓１５０と室内窓１４０との間の空間１６０に対応し、従って、外部の空気は通気手段１００を構成する流路１１２−３及び貫通ホール１１２−１を介して空間部１６０内に流入（矢印で表示）する。
【００２８】
前記のような通気手段１００を介して外部から流入した外部の空気によって空間部１６０内の温度と湿度が自然に調節され、従って、室内窓又は室外窓に結露が発生するのを防止することができる。
【００２９】
一方、高層建物の外壁に設けられた二重窓又はカーテンウォールに本発明に用いられる通気手段を設けることにより、室外窓と室内窓との間の空間部は気圧緩衝空間の機能を行うことができ、従って、外部と室内との間の気圧差で発生し得る問題を予防することができる長所がある。
【００３０】
以下、通気手段を介して流入した外部空気の流れの経路をより詳細に説明する。
【００３１】
図５で、通気手段１００を構成する流路１１２−３は、窓フレーム１１０の下部水平窓フレーム１１２の内部に設けられたガスケット１１２−４の上部に形成され、貫通ホール１１２−１は、空間部１６０に対応する窓フレーム１１０の下部水平窓フレーム１１２に形成される。
【００３２】
一方、流路１１２−３の一終端は下部水平窓フレーム１１２の一面に形成された開口１１２−２と連通され、従って、流路１１２−３は外部（大気）と連通される。
【００３３】
窓フレーム１１０の下部水平窓フレーム１１２に形成された開口１１２−２を介して流入した外部の空気は、下部水平窓フレーム１１２内の流路１１２−３及び水平窓フレーム１１２に形成された貫通ホール１１２−１を介して室外窓１５０と室内窓１４０との間の空間部１６０に流入する。
【００３４】
このような構造を有する通気手段１００を備えた二重窓では、室外窓１５０を閉じた状態でも外部の空気が室外窓１５０と室内窓１４０との間の空間部１６０に流入することができる。従って、ユーザが室内窓１４０と室外窓１５０を開かない場合にも、前記通気手段１００を介して室内窓１４０と室外窓１５０との間に形成された空間部１６０に流入することができ、これにより空間部１６０と外部の温度差による結露現象は発生しない。
【００３５】
一方、前記のような機能を行う通気手段１００は、窓の大きさに応じてその形成される数、貫通ホールの形状及び数などを異にすることができるのはもちろんである。
【００３６】
ここまでは窓フレームに単一の窓枠フレームが設けられた二重窓を例に挙げて説明したが、本発明はこれに制限されず、例えばカーテンウォールのように多数の窓枠フレームが設けられた窓フレームにも適用できる。
【００３７】
図６〜図８には、単一の窓フレームに多数の窓枠フレームが設けられた二重窓（又はカーテンウォール）を示している。
【００３８】
窓フレームは、上部及び下部水平窓フレーム、そして上部及び下部水平フレームに固定された多数の垂直窓フレームからなり、このような水平及び垂直窓フレームにより、窓フレームは窓枠フレームがそれぞれ装着される多数の領域に区画される。このように、上部及び下部水平窓フレーム及び２つの垂直窓フレームによって形成された各領域には、室外窓と内層がそれぞれ装着される。
【００３９】
このような構造を有する二重窓では、各領域に対応する下部水平窓フレームに図２〜図５を通じて説明した通気手段１００がそれぞれ形成される。
【００４０】
各通気手段は各領域に装着された室内窓と室外窓との間の空間部に対応し、この通気手段の構成及びその機能は図２〜図５を通じて説明したのと同一であり、従って、これに関する重複説明は省略する。
【００４１】
一方、窓フレームの各領域ごとに通気手段を必ずしも設ける必要はない。例えば、隣接する２つの領域を区分する垂直窓フレームに、両領域の空間部（室外窓と室内窓との間の空間部）を連通させる換気口（図４の５００）を形成し、２つの領域のいずれか１つの領域の下部水平窓フレームにのみ通気手段を形成することにより、窓フレームの全ての領域で図２〜図５を通じて説明した二重窓で得ることができる効果を同一に得ることができる。
【００４２】
図６〜図８は、一部領域の下部水平窓フレームにのみ通気手段が構成され、垂直窓フレームに水平換気口が形成された二重窓での空気の流れを示している。空気の流れは、それぞれの適用例で水平交差換気口を通過する矢印方向に進む。ここで、図６〜図８は、室内ではなく室外で窓フレームの室外窓を観察した状態を示しており、前記室外窓の設置時に室内窓は１つの開閉窓に設けることもでき、２つの領域に分割することもできる。
【００４３】
図６〜図８に示したそれぞれの適用例を説明すると、水平交差換気口を垂直窓フレームに形成させ、垂直窓フレームにより分割されるそれぞれの領域には、上部及び下部開閉窓を設けなくてもよいことが分かり、これは既存の垂直窓フレームの上部及び下部に必ず開閉窓を設けなければならない窓構造に比べて設置費用を節減できる。
【００４４】
図６は、ある垂直窓フレーム２２０の上部及び下部に換気口５００を形成し、これに隣接した垂直窓フレーム２３０には換気口を形成していない構造を示している。ここで、最外側の垂直窓フレーム２１０又は２５０は除き、換気口５００が形成された垂直窓フレーム２２０又は２４０によって分割された領域のいずれか１つの領域の下部水平窓フレーム２９２には、図２〜図５を通じて説明した通気手段１００が形成されているのはもちろんである。
【００４５】
このような構造の二重窓では、隣接する２つの領域の２つの空間部（室外窓と室内窓との間の空間）には、単一の通気手段を介して外部から流入した空気が循環するようになる。
【００４６】
一方、下部水平窓フレーム２９２に通気手段を構成しない場合、２つの領域のいずれか１つの領域の室外窓にのみ開閉窓７００を形成すれば、２つの領域の各空間部への外部空気の流入がなされる。
【００４７】
図７は、窓フレーム３００の最外側垂直窓フレーム３１０、３５０を除いた全ての垂直窓フレーム３２０、３３０及び３４０の上部及び下部に換気口を設けた構造を示している。
【００４８】
このような構造では、換気口を介して全ての領域の空間部（室外窓と室内窓との間の空間）が互いに連通されており、従って、少なくともいずれか１つの領域の下部水平窓フレーム３９２に形成された通気手段を介して流入した外部の空気が全ての領域の空間部内で循環できるようになる。
【００４９】
一方、下部水平窓フレーム３９２に通気手段を構成しない場合、いずれか１つの領域の室外窓にのみ開閉窓を形成すれば、全ての領域の各空間への外部空気の流入がなされる。
【００５０】
図８は、いずれか１つの垂直窓フレーム４２０又は４４０には下部に換気口を形成し、これに隣接した垂直窓フレーム４３０には上部に換気口を形成した構造４００を示し、このような構造でも換気口を介して全ての領域の空間部（室外窓と室内窓との間の空間）が互いに連通され、従って、少なくともいずれか１つの領域の下部水平窓フレーム４９２に形成された通気手段を介して流入した外部の空気が全ての領域の空間部内で循環できる。
【００５１】
一方、下部水平窓フレーム４９２に通気手段を構成しない場合、いずれか１つの領域の室外窓にのみ開閉窓７００を形成すれば、全ての領域の各空間部への外部空気の流入がなされる。
【００５２】
前記で説明した本発明の望ましい実施例は例示のために開示されたものであって、本発明に関する通常の知識を有する当業者であれば、本発明の思想と範囲内で多様な修正、変更、付加が可能であり、このような修正、変更及び付加は特許請求の範囲に属するものと見なければならない。
【符号の説明】
【００５３】
１０、１１０、３００：窓フレーム、２０、３０、１２０、１３０：窓枠フレーム、４０：室内窓、５０：室外窓、６０、１６０：空間部、７０：結露水、１００：通気手段、１０２、１１１、１１２、２９２、３９２、４９２：水平窓フレーム、１１２−１：貫通ホール、１１２−２：開口、１１２−３：流路、１１２−４：ガスケット、１４０：室内窓、１５０：室外窓、２２０、２３０、２４０、２５０、３１０、３２０、３３０、３４０、３５０、４２０、４３０、４４０：垂直窓フレーム、５００：換気口、７００：開閉窓
【図１】
2011508124.tif 000003
【図２】
2011508124.tif 000004
【図３】
2011508124.tif 000005
【図４】
2011508124.tif 000006
【図５】
2011508124.tif 000007
【図６】
2011508124.tif 000008
【図７】
2011508124.tif 000009
【図８】
2011508124.tif 000010
【国際調査報告】
2011508124.tif 000011
2011508124.tif 000012